(57)【要約】【課題】  画像形成装置において複数の部数の印刷を行う際に、設定条件を間違えて印刷を実行してしまい、大量に用紙を無駄に消費してしまうことを防ぐ。【解決手段】  本発明の画像形成装置では、複数部数の印刷を行う際に、設定された条件（例えば、両面印刷や、ステイプル処理）に合致した場合には、一部目の印刷を終了した段階で印刷を停止して、さらに印刷を続行するかどうかをユーザの入力に基づいて行うことにより、設定条件が間違った場合や、仕上がり結果が意図したものでなかった場合には、一部目の出力のみで印刷を終了することにより無駄に用紙を消費することを抑制した。【選択図】図２
2008224724.tif 000002
【特許請求の範囲】
【請求項１】
印刷を行う印刷部と、
複数部数の印刷を行う際に、前記複数部数のうちの一部目ないしは所定の部分部数の印刷終了時に印刷を停止するよう前記印刷部を制御する制御部と、
前記複数部数のうちの一部目ないしは所定の部分部数の印刷終了時に印刷を続行するかどうかの入力を受け付ける入力部と、を有し、
前記制御部は、前記入力部の入力に基づき前記複数部数の残り部数の印刷続行の制御を行う
ことを特徴とする画像形成装置。
【請求項２】
請求項１記載の画像形成装置であって、
前記入力を促す旨を表示する表示部を有する
ことを特徴とする画像形成装置。
【請求項３】
請求項１または２に記載の画像形成装置であって、
前記制御部が前記複数部数のうちの一部目ないしは所定の部分部数の印刷を終了したときに前記印刷部を停止する印刷条件を登録して記憶する登録部を有し、
前記制御部は、前記登録部の記憶した印刷条件に合致し、前記複数部数のうちの一部目ないしは所定の部分部数の印刷が終了した時に停止するよう前記印刷部を制御する
ことを特徴とする画像形成装置。
【請求項４】
請求項１から３のいずれかに記載の画像形成装置であって、
前記登録部が登録して記憶する印刷条件が、
両面印刷、ステイプル処理、パンチ孔あけ処理、若しくは閾値部数以上の印刷、またはこれらの自由な組み合わせである
ことを特徴とする画像形成装置。
【発明の詳細な説明】
【技術分野】
【０００１】
画像形成装置において、印刷の仕上がりを一部目の印刷物で確認してから続行することにより、無駄な印刷を抑制する技術に関する。
【背景技術】
【０００２】
画像形成装置において、複数部数の印刷を行う際に様々な設定事項がある。例えばモノクロ印刷で行うかカラー印刷で行うか、片面印刷を行うか両面印刷を行うか、用紙を横配置（ランドスケイプ）とするか縦配置（ポートレイト）とするか、後処理でのパンチ孔を開けるか、ないしはステイプル処理を行うかなどがあり、ユーザがこれらの設定を意図せずにまちがえて設定してしまって、複数部数の印刷及び後処理を行ってしまい、用紙を大量に無駄にしてしまう問題があった。
【０００３】
そこで、例えば所定枚数以上の複写を行う際には、画面上に枚数確認用の画面を表示してユーザの確認を得てから実行することにより、間違って多数の複写を行ってしまうことを抑制する方法がある（特許文献１参照）。
【０００４】
しかし、この方法では印刷枚数の設定間違いについては、印刷前に確認可能であるが、その他の条件設定（例えばモノクロで印刷するか、カラーで印刷するか等の条件設定）の間違いについは印刷が始まらないと確認できず、一旦印刷がはじまってしまうと、間違いが分かって停止を行おうとしてもその前にかなりの量の印刷が終了して用紙が無駄になってしまう。
【０００５】
【特許文献１】特開２０００−１５５５０２号公報
【発明の開示】
【発明が解決しようとする課題】
【０００６】
解決しようとする問題点は、画像形成装置にて印刷の設定条件を間違えて意図しない仕上がりで印刷を行ってしまい、無駄に紙を消費してしまうことを抑制することができなかった点である。
【課題を解決するための手段】
【０００７】
本発明の画像形成装置は、印刷を行う印刷部と複数部数の印刷を行う際に、前記複数部数のうちの一部目ないしは所定の部分部数の印刷終了時に印刷を停止するよう前記印刷部を制御する制御部と前記複数部数のうちの一部目ないしは所定の部分部数の印刷終了時に印刷を続行するかどうかの入力を受け付ける入力部とを有し、前記制御部は、前記入力部の入力に基づき前記複数部数の残り部数の印刷続行の制御を行うことを最も主要な特徴とする。
【発明の効果】
【０００８】
本発明の画像形成装置は、印刷を行う印刷部と複数部数の印刷を行う際に、前記複数部数のうちの一部目ないしは所定の部分部数の印刷終了時に印刷を停止するよう前記印刷部を制御する制御部と前記複数部数のうちの一部目ないしは所定の部分部数の印刷終了時に印刷を続行するかどうかの入力を受け付ける入力部とを有し、前記制御部は、前記入力部の入力に基づき前記複数部数の残り部数の印刷続行の制御を行うことを最も主要な特徴とするため、画像形成装置にて印刷の設定条件を間違えても、一部目の印刷終了時に仕上がりを確認してから、続行するかどうかを判断することができ、無駄に紙を消費してしまうことを抑制することが可能となった。
【発明を実施するための最良の形態】
【０００９】
画像形成装置にて複数部数の印刷を行う際に、印刷の設定条件を間違えて印刷してしまって無駄に紙を消費することを抑制出来ないという問題を解決するために、一部目の複写の印刷が終了した時点で印刷を停止して、ユーザに印刷続行するかどうかの確認入力を行わせてから印刷を続行する方法により実現した。
【実施例１】
【００１０】
［構成］
図１は、本発明の実施例に係わる画像形成装置の機能ブロック図である。
【００１１】
画像形成装置１０１は、入力部１１１、表示部１１３、登録部１１５、制御部１１７、スキャナ部１１９、印刷部１２１、後処理部１２３とを有している。
【００１２】
入力部１１１は、ユーザからの入力を受け付ける操作パネルを備え、印字結果の一部目を出力した後、引き続き印字を続けるかどうかのユーザの入力を受け付ける。また、印字を停止させるための枚数や条件の設定を行うための入力を行う。
【００１３】
表示部１１３は、一部目の印字を行った後、図３に示すダイアログを表示して、ユーザに印字を続けるかどうかの入力を促す。
【００１４】
登録部１１５は、一部目の印字終了時に停止する条件を登録して記憶する。この登録される条件は、両面印刷か、ステイプル処理か、パンチ孔あけ処理か、閾値部数以上の印刷か、またはこれらの自由な組み合わせである。両面印刷か、ステイプル処理か、パンチ孔あけ処理は、ミスコピーした場合用紙の再利用が不可能なため、特に確認が必要である。またコピー部数が少なければミスコピーした場合にも損害が少ないが、部数が多いときには確認の必要性がより高まるので、印刷部数によって閾値を設けてある。もちろん閾値の値が２枚であってもよい。
【００１５】
制御部１１７は、画像形成装置全体の制御を行うと共に、登録部で登録している条件に合致した印刷動作が行われると、印刷部での印刷を一部のみで停止する。
【００１６】
スキャナ部１１９は、複写原稿を読み取って画像データに変換する。変換された画像データは、印刷部に送られ印刷される。
【００１７】
印刷部１２１は、印刷を行う。印刷部は制御部によってその動作を制御され、登録部での登録条件が合致すると、一部目の印刷を終えた段階で印刷を停止する。前記したユーザの確認でＯＫが出れば残りの印刷を続行する。
【００１８】
後処理部１２３は、ステイプル処理やパンチ孔あけなどの後処理を行う。印刷の一部目で停止する際には、その後処理指定がある場合には、後処理を行って排紙して停止する。そのため、ユーザは後処理が正しく行われているかの確認が可能となる。
【００１９】
上記の説明中の印字結果の『一部目』とは、原稿が１ページのものを複数部数印刷する場合には、１ページを１部印刷したもののことを言い、原稿が複数の例えばＸページからなる一冊子のものを複数の部数例えばＹ部数印刷する場合には、Ｘページ分を各一部づつ印刷して、一冊子分印刷したもののことを言う。また、それぞれに後処理（例えばステイプル処理）があれば、その後処理も含めて前記一冊子分のものを言う。ここで言う一冊子とは、ステイプル処理などにより冊子状に用紙が綴じられていることを必ずしも意味せず、綴じられていない状態のものを含む。
【００２０】
［フローチャート］
図２のフローチャートを用いて、実施例の画像形成装置にて複数部数の複写を行う際の動作の流れについて説明する。
【００２１】
Ｓ１１：複写条件が停止条件に合致しているかどうかを判断する。合致している場合は動作をＳ１５に、合致していない場合は動作をＳ１３に移行する。
【００２２】
Ｓ１３：印字結果確認フラグをＯＦＦにセットする。
【００２３】
Ｓ１５：印字結果確認フラグをＯＮにセットする。
【００２４】
Ｓ１７：一部、複写動作を実施する。
【００２５】
Ｓ１９：全ての印字が完了したかどうかを判断する。完了している場合は動作を終了する。完了していない場合は動作をＳ２１に移行する。
【００２６】
Ｓ２１：印字結果確認フラグがＯＮであるかどうかを判断する。ＯＮの場合は動作をＳ２３に移行する。ＯＦＦの場合は動作をＳ１７に移行する。
【００２７】
Ｓ２５：仕上がりイメージが正しいかどうかを確認するダイアログを表示する。
【００２８】
Ｓ２７：印字結果確認フラグをＯＦＦにする。
【００２９】
Ｓ２９：Ｓ２５での確認結果がＯＫであったかどうかを判断する。ＯＫなら動作をＳ１７に、ＯＫでなければ動作をＳ３１に移行する。
【００３０】
Ｓ３１：印字をキャンセルして動作を終了する。
【００３１】
［動作確認画面］
図３は、画像形成装置の表示部１１３に表示された、一部目の印刷終了時に、印刷を続行するかどうかの入力を促す画面の例である。利用者は、画面に従い、入力部１１１（図３では、表示部の表示パネルがタッチパネルとなっており、入力部の役割も行う。）から続行または中止を入力する。
【００３２】
［実施例の効果］
本発明実施例の画像形成装置では、複数部数の印刷の際には、あらかじめ設定した印刷条件が登録した条件と合致した際には、一部目の印刷を出力した後に印刷を停止して、利用者がその印刷物を確認してから印刷を続行するか、終了するかを決めることが可能となったため、モノクロで印刷するつもりをカラーで行ってしまったとか、ステイプルする位置の設定によって文章が見えなくなってしまったとか、集約印刷での仕上がりの文字が小さすぎて見えないなどの問題があったとしても、印刷を最後まで行って全ての用紙を無駄にしてしまう問題を抑制することが可能となった。
【００３３】
［その他］
本実施例においては、一部目の印刷が終了した時点で停止して、印刷続行の確認を入力するとしたが、一部目に限らず、複数部数の部分部数（例えば２部目）を印刷して停止、続行確認する方法を取ってもよい。
【００３４】
本実施例のフローチャートでは、複写動作についての動作の流れについて説明したが、複写動作に限らず印刷、ＦＡＸ印刷などの動作についても同様に実施可能である。
【図面の簡単な説明】
【００３５】
【図１】本発明実施例に係わる画像形成装置の機能ブロック図である（実施例１）。
【図２】本発明実施例に係わる画像形成装置の複写動作の際の動作のフローチャートである（実施例１）。
【図３】一部目で動作を停止した際に表示部に表示する、印刷続行の確認を促すメッセージである（実施例１）。
【符号の説明】
【００３６】
１０１  画像形成装置
１１１  入力部
１１３  表示部
１１５  登録部
１１７  制御部
１１９  スキャナ部
１２１  印刷部
【図１】
2008224724.tif 000003
【図２】
2008224724.tif 000004
【図３】
2008224724.tif 000005